(57)【要約】【課題】銀塩カメラで撮影したのと同じ様な写真が得られる撮影装置を提供する。【解決手段】撮影条件設定ダイヤルにより銀塩カメラの撮影条件や現像条件を任意に設定して銀塩カメラで撮影したのとほぼ同じ写真が得られるような画像データを生成する。さらにノイズコントロールダイヤルにより粒状性ノイズの付与率を設定するようにしておいて銀塩カメラで撮影して得た写真の粒状感を表わす粒状性データを画像データに重畳する。その画像データを基に画像を得ることができる様にする。【選択図】  図３
2007019617.tif 000002
【特許請求の範囲】
【請求項１】
被写体像を捉えて画像データを生成する撮影装置において、
画像上に粒状性を付与する粒状性データを記憶しておくデータ記憶部と、
画像データに、前記データ記憶部に記憶された粒状性データに基づく粒状性付与処理を実行する画像処理部とを備えたことを特徴とする撮影装置。
【請求項２】
前記データ記憶部は、画像上に粒状レベルが互いに異なる粒状性を付与する複数の粒状性データを記憶しておくものであり、
前記データ記憶部に記憶された複数の粒状性データのうちのいずれかの粒状性データを選択する粒状性選択部を備え、
前記画像処理部は、画像データに、前記粒状性選択部で選択された粒状性データに基づく粒状性付与処理を実行するものであることを特徴とする請求項１記載の撮影装置。
【請求項３】
前記データ記憶部は、前記粒状性データに加え、さらに、画像に、異なる色温度の光源下で撮影を行なったときに得られる色味を付与する色温度変換データを記憶しておくものであり、
前記画像処理部は、画像データに、前記粒状性付与処理の実行に加え、さらに前記データ記憶部に記憶された色温度変換データに基づく色温度変換処理を実行するものであることを特徴とする請求項１記載の撮影装置。
【発明の詳細な説明】
【技術分野】
【０００１】
本発明は、撮影光学系で被写体を捉えて該被写体を撮像素子に結像させてその撮像素子で被写体を表わす画像データを生成する撮影装置に関する。
【背景技術】
【０００２】
最近は素人にも比較的簡単に扱えるデジタルカメラが主流になってきて、昔ながらの銀塩カメラを用いる人が少なくなってきている。
【０００３】
銀塩カメラを用いる人の多くは大抵写真撮影を趣味とする人が多く、そのような人の中にはプロ級の腕前を持つハイアマチュアと呼ばれる人もいる。このような人達は好んで銀塩カメラを用いようとするが、そういう人たちの中にも銀塩カメラの一眼レフカメラとほぼ同等の機能を持つ一眼レフデジタルカメラを用いる人が出てきている。このような一眼レフデジタルカメラにおいてはいままでのようにフィルムに結像させて現像して写真を得る代わりに撮像素子に被写体を結像させ結像させた撮像素子で被写体を表わす画像データを生成してその画像データを用いて写真を得ている。このように画像データが生成されると画像データに信号処理部によって様々な信号処理を施すことができるので銀塩カメラで得たのと同じ様な画像を得ることも、また全く異なる画像を得ることもできる。この信号処理部で行なわれる信号処理の中には自然な色合いや動きを持つ被写体にするために画像データにディザと呼ばれる階段状のノイズを与えて実際に見えるときに現われるような階段状の変化を画像データにわざわざ与えるようにしたり、被写体のゆっくりとした動きが画像データに現われるようにゆらぎ（いわゆる１／ｆノイズである）と呼ばれるノイズをわざわざ与えるようなことが行なわれている（例えば特許文献１、２参照）。
【０００４】
ところで、従来の銀塩カメラで撮影を行なって得た写真の特徴として銀塩フィルムの感度を定める因子の一つである銀粒子の細かさがある。この銀粒子を大きくすればするほど感度は上がるが、感度を上げた分画質が非常に粗くなってきて写真がざらざらする、すなわち粒状感が上がることが知られている。さらに、上記ハイアマチュアの人の中には自分で現像を行って現像時に増感材を用いて感度を上げるような工夫をする人もいる。
【０００５】
このような粒状感は本来好まれるものではないが、銀塩カメラならではのものであってハイアマチュアの人の中には上記したデジタル一眼レフカメラを用いて撮影を行なったときにおいても、あえてこの粒状感を使って視覚的効果を得たいと思う人もいる。
【０００６】
しかしながら、この粒状感は上記デジタル一眼レフカメラが持つディザやゆらぎの技術を駆使したとしても得られない。
【特許文献１】特許第２８９４１１７号公報
【特許文献２】特開２００３−１６２７１６号公報
【発明の開示】
【発明が解決しようとする課題】
【０００７】
本発明は、上記事情に鑑み、銀塩カメラで撮影したのと同じ様な写真が得られる撮影装置を提供することを目的とする。
【課題を解決するための手段】
【０００８】
上記目的を達成する本発明の撮影装置は、被写体像を捉えて画像データを生成する撮影装置において、
画像上に粒状性を付与する粒状性データを記憶しておくデータ記憶部と、
画像データに、上記データ記憶部に記憶された粒状性データに基づく粒状性付与処理を実行する画像処理部とを備えたことを特徴とする。
【０００９】
上記本発明の撮影装置によれば、上記画像処理部によって上記画像データに上記データ記憶部に記憶された粒状性データに基づく粒状性付与処理が実行されて銀塩カメラによる撮影により得た写真と同じような視覚効果を与える、粒状性データに基づく粒状性が画像データ全体にわたって付与される。
【００１０】
その粒状性が付与された画像データに基づく画像を写真にすると、銀塩カメラで撮影したのと同じような粒状感を持つ写真が得られる。
【００１１】
ここで、上記データ記憶部は、画像上に粒状レベルが互いに異なる粒状性を付与する複数の粒状性データを記憶しておくものであり、
上記データ記憶部に記憶された複数の粒状性データのうちのいずれかの粒状性データを選択する粒状性選択部を備え、
上記画像処理部は、画像データに、上記粒状性選択部で選択された粒状性データに基づく粒状性付与処理を実行するものであることが好ましい。
【００１２】
そうすると、例えばＩＳＯ感度に応じて銀粒子の大きさの異なる粒状性データを複数準備しておいていずれかの粒状性データに基づく粒状性付与処理を実行することができる。
さらに、前述したように増感材などを用いたときに現われる画質の粗さを表わす粒状性データを準備しておくと、増感材を用いて得た写真と同じ様な写真を得るための画像データを得ることもできる。
【００１３】
また上記データ記憶部は、上記粒状性データに加え、さらに、画像に、異なる色温度の光源下で撮影を行なったときに得られる色味を付与する色温度変換データを記憶しておくものであり、
上記画像処理部は、画像データに、上記粒状性付与処理の実行に加え、さらに上記データ記憶部に記憶された色温度変換データに基づく色温度変換処理を実行するものであることが好ましい。
【００１４】
そうすると、写真上に現われる、上記様々な粒状感に加えて、様々な光源下での撮影により得られる色味を考慮した写真を作成することもできるようになる。
【発明の効果】
【００１５】
以上、説明したように、銀塩カメラで撮影したのと同じ様な写真が得られる撮影装置が実現される。
【発明を実施するための最良の形態】
【００１６】
以下、本発明の実施の形態について説明する。
【００１７】
図１は、本発明の一実施形態であるデジタルカメラの外観を示す図である。図１には三角法による展開図（正面図、上面図、背面図、側面図）がそれぞれ示されている。図１（ａ）には正面図が示されており、図１（ｂ）には上面図が示されている。また図１（ｃ）には背面図が示されており、図１（ｄ）には側面図が示されている。
【００１８】
図１に示すように、カメラボディ１ａの中央にレンズ鏡胴１０１が配備されており、そのレンズ鏡胴１０１内にはズーム光学系１０１ａが内蔵されている。このズーム光学系１０１ａが捉える被写体が内部にある撮像素子まで導かれて撮影が行なわれるようになっている。またレンズ鏡胴１０１の上方（図１は三角法で描かれているので図１（ａ）にはレンズ鏡胴１０１の下方に示されているものが実際には上方に位置する）にはセルフタイマ用のＬＥＤ１０１ｂとフラッシュ発光窓１０１ｃと背面のファインダ接眼部１７１ｂと対をなすファインダ対物窓１７１ａが備えられている。
【００１９】
またカメラボディ１ａ上面には電源スイッチ１０が有り、その電源スイッチ１０が投入されるとこのデジタルカメラ１は動作状態になる。また、カメラボディ１ａ上面には電源スイッチ１０のほか、このデジタルカメラ１ａの撮影条件の設定を行なう撮影条件設定ダイヤル１９０が配備されており、その撮影条件設定ダイヤル１９０が設定されると、例えば銀塩カメラで撮影するときにＬＢフィルタ等を取り付けて色温度補正を行なっていたような処理を後述するＹＣ信号作成部に仮想的に行なわせることができる。
【００２０】
この実施例においては撮影条件設定ダイヤル１９０に階層設定用のアップ１９１、ダウンキー１９２が設けられており、そのアップキー１９１が操作されると階層が下位側から上位側に向かって順次切り替わっていき、ダウンキー１９２が操作されると階層が上位側から下位側に向かって順次切り替わっていく構成になっている。
【００２１】
図２は、その撮影条件設定ダイヤルのアップキー１９１やダウンキー１９２の操作によりいずれかの階層に切り替えられたときに表示画面上に表示される設定画面の一例を示す図である。図２には、階層構造を説明するために最上位層のものから最下位層ものまですべて描かれているが実際にはいずれか一つの階層の項目が表示画面上に表示される。
【００２２】
例えば後述するメニュースイッチ１５が操作されてマルチファンクションスイッチ１４等の操作により‘撮影条件選択画面’が選択されると、撮影条件設定ダイヤルのアップキーあるいはダウンキーが示す階層に応じて仮想光学フィルタの種類、または色合いの種類、またはＩＳＯ感度の種類、またはプリント条件にあたる画質の種類、または画像サイズの種類のうちのいずれかが表示画面上に表示される。
【００２３】
例えばアップキー１９１の操作により最上位の階層が指定された場合には図２の最も左側に書かれている仮想光学フィルタに関する撮影条件の設定が行なえる。またその仮想光学フィルタに関する撮影条件が表示されている最中にダウンキー１９２が操作されると、一つ下の階層の色合いの設定、さらにダウンキー１９２が操作されると、二つ下のＩＳＯ感度の設定というように順に下位の階層の設定が行えるようになっている。さらにダウンキー１９２が操作されると、画質、さらに操作されると画像サイズの設定を行なうことができるようになっている。
【００２４】
例えば撮影条件設定ダイヤル１９０のアップキー１９１の操作により階層が最上位に切り替えられた状態にあるときに‘フィルタなし’がマルチファンクションスイッチ１４およびセットキー１４ａの操作により選択設定されているときには撮影時にデジタルカメラ内部の後述する各処理部で通常の処理が行なわれ、例えば‘ＬＡ＊＊フィルタ等’が設定されたときには、光源種に応じた、色変換温度下降用、もしくは色温度上昇用フィルタを模擬するために後述するホワイトバランス部の各色（ＲＧＢ）アンプにゲインが各々設定されて各アンプのゲイン設定の比率に応じたホワイトの調色が行なわれるようになっている。
【００２５】
また撮影条件設定ダイヤル１９０のダウンキー１９２等の操作により例えば‘標準カラー’が設定されたときには後述するＹＣ信号作成部に通常の色変換パラメータが設定されてＲＧＢからＹＣ信号への変換が行なわれる。またダウンキー１９２等の操作により例えばＩＳＯ感度４００が設定されたら、そのＩＳＯ感度４００に応じた画素混合数が後述するＹＣ信号作成部にセットされてＹＣ信号作成部により画素混合が行なわれて感度アップ処理が行なわれる。同様に画質、画像サイズなどの設定が行なわれたらＣＰＵの制御の基、圧縮伸張部等でリサイズ処理等が行なわれるようにもなっている。
【００２６】
なお、本実施形態のデジタルカメラ１においては、撮影条件設定ダイヤル１９０を設定した後、撮影条件設定ダイヤル１９０が回転してしまうと設定画面により設定を行っている最中に画面が切り替わってしまう恐れがあるので、この撮影条件設定ダイヤル１９０が回転しないようにするためのロック用の操作キー１９３も設けられている。このロック用の操作キー１９３がロック側に操作されると撮影条件設定ダイヤル１９０がロックされる。
【００２７】
またカメラボディ１ａ上面には、ノイズコントロールダイヤルスイッチ１９４（図１参照）も設けられており、このノイズコントロールダイヤルスイッチ１９４には−２〜＋２までの目盛りが設けられている。このノイズコントロールダイヤルスイッチ１９４が回転操作により回転操作されたときに中央に−２〜＋２のうちのいずれかが位置すると、その位置に応じた処理が後述する粒状性付与画像合成手段により行なわれるようになっている。
【００２８】
ここではプラス側に設定されればされるほどより細かな銀粒子からなる粒状性ノイズが画像データに重畳され、−側に操作されると粒状性ノイズを付与するのとは逆に画像データのノイズリダクション処理が行なわれるようになっている。このノイズコントロールダイヤルスイッチ１９４にもロックスイッチ１９５が設けられており、プラス側あるいはマイナス側にノイズコントロールダイヤルスイッチ１９４が操作された後、上記ロックスイッチ１９５がロック側に操作されるとそのノイズコントロールダイヤルスイッチ１９４は固定されて動かなくなる。
【００２９】
図３は撮影条件がすべて設定されたときに表示画面上に設定された撮影内容が表示されている状態を示す図である。
【００３０】
上記撮影条件設定ダイヤル１９０とノイズコントロールダイヤル１９４の操作により撮影条件およびノイズコントロールの値がすべて設定されたら、図３に示す撮影条件の設定内容（橙フィルタ  調色なし白黒  ４００  ＲＡＷ＋Ｎｏｒｍａｌ  Ａ４）と＋２が表示画面上に表示される。このようにしておくと、撮影者が撮影を行なおうとしているときに表示画面上で設定内容に間違いがないかどうかの確認が行なえる。
【００３１】
なお、図３には、撮影条件設定ダイヤル１９０のダウンキー１９２が操作されて最下層の‘画像サイズ’の選択項目が表示されているときに‘Ａ４’が選択された後の、現在の撮影条件の設定内容が示されている。
【００３２】
ここで図１に戻ってデジタルカメラ１の構成の説明を続ける。
【００３３】
さらにカメラボディ１ａ上面にはレリーズスイッチ１１が配備されており、そのレリーズスイッチ１１の押下に応じて撮影処理が行なわれるようになっている。このレリーズスイッチ１１は２つの操作態様を有するものである。このレリーズスイッチ１１が半押しされたときには内部の測距部により測距が行なわれてズーム光学系内のフォーカスレンズが合焦位置に配置されたり、内部の測光部により測光が行なわれて図示しない絞りの開口径が調節されりし、レリーズスイッチ１１が全押しされたら半押し時に調節された露出で撮影処理が開始される。
【００３４】
また、図１（ｃ）に示すカメラボディ１ａの背面には、撮影モードと動画撮影モードと再生モードとを切り替えるモードスイッチ１２が備えられており、その横にはズームスイッチ１３も配備されている。このズームスイッチ１３の操作に応じてズーム光学系内にあるズームレンズの位置が調節され焦点距離が調節される。
【００３５】
さらに、そのズームスイッチ１３の下方にマルチファンクションスイッチ１４が配備されており、そのマルチファンクションスイッチ１４の中央にはセット（ＳＥＴ）キー１４ａが配備されている。また、そのマルチファンクションスイッチ１４の側方には数々の操作用スイッチ１５〜１９が配備されている。また、その数々の操作スイッチ１５〜１９の隣には表示画面１７０ａが配備されており、上記モードスイッチ１２が撮影モードあるいは動画撮影モードに切り替えられているときにはその表示画面１７０ａに被写体が表示されファインダ代わりにその表示画面１７０上の被写体を視認しながら撮影を行なうことも、その表示画面１７０の上方にあるファインダ１７１ｂを覗いて被写体を視認しながら撮影を行なうこともできるようになっている。また、モードスイッチ１２が再生モード側に切り替えられているときには既撮影画像データに基づく既撮影画像が表示画面１７０ａ上に表示されるようになっている。さらにメニュースイッチ１５が押されると表示画面上にメニューが表示されその中のいずれかがマルチファンクションスイッチ１４などの操作により選択されると選択された項目の設定画面が表示される。その中には上記した撮影条件設定画面もあり、その撮影条件設定画面がマルチファンクションスイッチ１４等の操作により選択されると上記撮影条件設定ダイヤル１９０の設定位置に応じた、いずれかの層の選択項目が画面に表示される。
【００３６】
また上記数々の操作子の中には上記表示画面１７０ａ上に上記メニュースイッチ１５のほか、フラッシュ光を発光するか否かをこの撮影内部のＣＰＵ（後述する）に指示するフラッシュスイッチ１６、また表示画面１７０ａのオンオフを指示するＤＩＳＰスイッチ１７や消去を指示するときに操作されるゴミ箱スイッチ１８さらにはマクロ撮影を行なうときに操作されるマクロスイッチ１９が配備されている。また、本実施形態のデジタルカメラ１には、ゴミ箱スイッチ１８の機能割当を消去から復元に切り替えるためのＳｈｉｆｔキー１８ａも配備されている。このＳｈｉｆｔキー１８ａを押しながらゴミ箱スイッチ１８を押すとゴミ箱スイッチ１８が復元指示用のスイッチとして機能する。
【００３７】
図４は、そのデジタルカメラ１内部の構成を示す構成ブロック図である。
【００３８】
図４に示すようにこのデジタルカメラの動作を統括的にＣＰＵ１０により制御されている。ＣＰＵ１００はメインメモリ１００ａ内に格納されているプログラムの手順にしたがってこのデジタルカメラ１全体の動作を制御する。
【００３９】
図４を参照して画像データの流れを説明する。
【００４０】
レンズ鏡胴１０１に内蔵されているズーム光学系１０１ａによって被写体が捉えられＣＣＤ１０２までその捉えられた被写体が導かれるようになっている。ＣＰＵ１００の制御の基、図示しないクロックジェネレータからＣＣＤ１０２に向けて露光開始信号が供給されてからシャッタ秒時を隔てて露光終了信号が供給されるまでの間にＣＣＤ１０２で露光が行なわれ、露光終了信号のタイミングでＣＣＤ１０２から被写体を表わす画像データがＣＤＳアナログデコーダ１０３に出力される。このＣＤＳアナログデコーダ１０３では、画像データに乗っているノイズの低減が行なわれてさらにＲ色，Ｇ色，Ｂ色を表わす各色信号に分解される。それらの色信号それぞれが後段のホワイトバランスアンプ１０４に供給され、ここで加色混合が行なわれる。このときに各色アンプに所定のゲインを設定するための制御電圧がＥＶＲ（電子ボリューム）１０９を介してそれぞれ供給されている。ここではこのデジタルカメラ１を統括的に制御しているＣＰＵ１００が撮影条件設定ダイヤル１９０の設定に応じてＥＶＲ１０９の抵抗値を調節することによりホワイトバランスアンプ１０４内の各色アンプのゲインを撮影時に照明を行なっている光源種にする構成が示されている。
【００４１】
さらに各色信号はγ補正部１０５に供給され、γ補正部１０５によって表示に適した色信号に各変換される。さらに表示に適したＲ色信号、Ｇ色信号、Ｂ色信号が後段の点順次化部によって順次化されてＡ／Ｄコンバータ１０７に供給される。このＡ／Ｄコンバータによりデジタル信号に変換された各色信号からなる画像データがメモリコントローラ１０８によりバス１１０へと導かれる。
【００４２】
そのバス１１０に導かれた画像データがＹＣ信号作成部１１１でＹＣ信号に変換された後、バス１１０を介してＬＣＤドライバ１１２に供給されてＬＣＤ１７０の表示画面１７０ａ上にその画像データに基づく画像（スルー画）が表示される。
【００４３】
このスルー画が表示されているときにも随時調節されているが、レリーズスイッチ１１が半押しされてスイッチＳ１が接続されたらそのレリーズスイッチ１１の半押しタイミング時の被写界輝度と合焦位置の検出結果に基づいてＣＰＵ１００の制御の基アイリスモータドライバ１０１３により絞りが駆動され適切な径になるように絞り開口が調節され、さらにＡＦモータドライバ１０１４により合焦位置に配置されるようにフォーカスレンズが駆動されてピントが調節される。さらにレリーズスイッチ１１が全押しされスイッチＳ２が接続されたら、図示しないタイミングジェネレータからＣＣＤ１０２に露光開始信号が供給され、所定のシャッタ秒時経過後に今度は露光終了信号が供給されて露光終了信号の供給タイミングに同期してＣＤＳアナログデコーダ１０３に各色信号が出力される。さらにホワイトバランスアンプ１０４により各色信号が加色混合処理され例えば無彩色の白色が得られるように各色のゲインが調節された後、γ処理部１０５に供給され、さらにこのγ処理部１０５により表示用信号への変換が行なわれて各色信号が点順次化部でＲ、Ｇ、Ｂという順に順次化されてＡ／Ｄコンバータ１０７へ出力される。さらにＡ／Ｄコンバータ１０７を介してデジタル信号に変換された画像データが、メモリコントローラ１０８によりバス１１０に導かれる。バス１１０に導かれた画像データは、ＹＣ信号作成部１１１に供給され、ＹＣ信号に分離された後、圧縮伸張部１１３に供給され外部メモリインターフェイス１１４を介して外部メモリ１１５である記録メディア１１５に画像データを含む画像ファイルが記録される。なおモードスイッチ１２が動画撮影モード側に切り替えられている場合には、動画信号がＭＰＥＧエンコーダ＆デコーダ部１１３１に供給されＭＰＥＧ規格に応じた圧縮が行なわれて外部メモリインターフェイス１１４を介して記録メディア１１５に動画を表わす画像データが記録される。
【００４４】
また、本実施形態のデジタルカメラ１は外部ビデオ端子を有しており、その外部出力端子からＮＴＳＣ信号作成部１１１１で作成されたＮＴＳＣ信号（ビデオ信号）を出力することができるようにもなっている。このＮＴＳＣ信号をテレビジョン受像機に接続するとテレビジョン受像機の画面上に画像が表示されるようにもなる。
【００４５】
また動画を表わす画像データを撮影するときなどに用いられるＡｕｄｉｏ入出力手段１２１も備えられており、そのＡｕｄｉｏ入出力手段１２１に音声信号を入力するマイク１２２や撮影時にそのマイク１２２で拾って録音した音声を表わす信号を再生時に出力するためのスピーカ１２３も備えられている。
【００４６】
また、図１で説明した２つの操作態様を持つレリーズスイッチ１１のほか、撮影条件設定ダイヤル１９０、ノイズコントロールダイヤル１９４、さらに図１で説明した各種スイッチ１２〜１９がＣＰＵ１００の入力部に接続されており、これらのスイッチ１２〜１９のうちのいずれかが操作されるとその操作信号がＣＰＵ１００に供給されてＣＰＵ１００がその操作信号に応じた処理を実行することができるようになっている。
【００４７】
撮影条件設定ダイヤル１９０（図１参照）の操作により設定画面（図２，図３参照）を見ながら様々な撮影条件がマルチファンクションスイッチ等の操作により設定されたらＣＰＵ１００はその撮影条件に応じた画像処理パラメータをＹＣ信号作成部１１１に設定して設定した画像処理パラメータに応じた画像処理をＹＣ信号作成部１１１に行なわせたり、ノイズコントロールダイヤル１９４の操作により粒状性ノイズの付与率（感度に応じた粒子の粗さ）が設定されたらＣＰＵ１００は粒状性選択部１８０に粒状性データベース（データ記憶部）１８１を参照させて粒状性データを選択させたりしている。さらに上記ＹＣ信号作成部１１１に生成させた画像データと粒状性選択部１８０に選択させた粒状性データとの双方を、粒状性画像合成手段１８２に供給させて画像データに粒状性ノイズを重畳させる処理を行なわせている。このようにして粒状性ノイズを重畳させた画像データを外部メモリインターフェイスに指示して外部メモリ１１５であるメモリカードに記録させている。
【００４８】
本実施形態においては、上記ＹＣ信号作成部１１１と上記粒状性付与画像合成手段１８２とホワイトバランスアンプ１０４とＣＰＵ１００が本発明にいう画像処理部に該当する。
【００４９】
ここで、図５を参照してＣＰＵ１００が行なう撮影条件の設定処理を説明する。
【００５０】
図５は、ＣＰＵ１００が行なう撮影条件の設定処理を説明するためのフローチャートである。
【００５１】
ステップＳ５０１で設定画面（図２，図３参照）により設定された仮想光学フィルタの設定内容を参照する。次のステップＳ５０２へ進んでステップＳ５０２でフィルタ設定ありと判定したらＹｅｓ側に進み、フィルタ設定なしと判定したらＮｏ側に進む。ステップＳ５０２でＹｅｓ側に進んだらステップＳ５０３でカラー撮影関連フィルタであるか白黒用フィルタであるかを判定する。次のステップＳ５０４で、カラー撮影関連フィルタ（図２のフィルタなしあるいはＹフィルタが設定されていたら）であると判定したら、色温度の補正をすべくＥＶＲ１０９（図４参照）を調節して色温度にあったゲインを、各色信号を増幅する各色系統（以降においては色ｃｈという）のアンプに設定して色温度補正を行なう。次のステップＳ５０５で色合いの設定が‘標準カラー’であるかどうかを判定して‘標準カラー’であると判定したら、Ｙｅｓ側に進んでＹＣ信号作成部に通常の色変換処理パラメータを設定して標準のカラー処理を行なってこのフローの処理を終了する。ステップＳ５０５で標準カラーではないと判定したらＮｏ側に進んでステップＳ５０６で彩度がアップするような色変換処理パラメータをＹＣ信号作成部１１１に設定してこのフローの処理を終了する。
【００５２】
またステップＳ５０３でカラー撮影関連フィルタではないと判定したらＮｏ側に進んでステップＳ５０８で撮影した画像に対しての各色系統（図５には色ｃｈと示してある）のアンプのゲインを調節して重み付けして各色（Ｒ，Ｇ，Ｂ）をミックスする。このときに次のステップＳ５０９で調色するかどうかを判定して調色しないと判定したらＮｏ側に進んですべての色アンプのゲインを所定の比率（例えば１：１：１）にするような処理を行なって無彩色化を図ってこのフローの処理を終了する。
【００５３】
ステップＳ５０９で調色すると判定した場合には、ステップＳ５１０で各色系統のゲインを調節して重み付けしてミックスして白色を青みがかったものや赤みがかったものにするようにしてこのフローの処理を終了する。
【００５４】
また、ステップＳ５０２でＮｏ側に進んだらステップＳ５１２で白黒かどうかを判定して白黒であると判定したら、ステップＳ５０９へ進んでステップＳ５０９とステップＳ５１０，あるいはステップＳ５０９とステップＳ５１１の処理を行なってこのフローの処理を終了する。またステップＳ５１２で白黒ではないと判定したら、Ｎｏ側に進んでステップＳ５０５とステップＳ５０６，あるいはステップＳ５０５とステップＳ５０７の処理を行なってこのフローの処理を終了する。
【００５５】
また、図６はＣＰＵ１００が行なうノイズコントロール処理を説明するためのフローチャートである。
【００５６】
ステップＳ６０１で、ノイズコントロールダイヤルの設定内容を読む。次のステップＳ６０２で、設定が負側（−２あるいは−１）であったら、Ｙｅｓ側に進んでそれらの設定値に応じたノイズリダクション処理をＹＣ信号作成部１１１（図４参照）に行なわせてこのフローの処理を終了する。
【００５７】
ステップＳ６０４でノイズコントロールダイヤルの設定が０であると判定したら、ステップＳ６０４でＹｅｓ側に進んで何の設定もせずにこのフローの処理を終了する。
【００５８】
ステップＳ６０５で設定が＋１であると判定したら、Ｙｅｓ側に進んでステップＳ６０６で粒状性選択部１８０（図４参照）にＩＳＯ感度４００相当の銀塩フィルムの二次元粒状性データを粒状性データベース１８１から選択させ粒状性付与画像合成手段１８２に供給させる。このときにはＹＣ信号作成部１１１に指示してＹＣ信号作成部１１１で生成された画像データを粒状性付与画像合成手段１８２に供給させて双方の画像合成を粒状性付与画像合成手段１８２に行なわせてこのフローの処理を終了する。
【００５９】
ステップＳ６０５で、ノイズコントロールダイヤルの設定が＋２であると判定したらＮｏ側に進んでステップＳ６０７で粒状性選択部１８０にＩＳＯ感度１６００相当の銀塩フィルムの二次元粒状性データを粒状性データベース１８１（図４参照）から選択させ粒状性付与画像合成手段１８２に供給させる。このときにはＹＣ信号作成部１１１に指示してＹＣ信号作成部１１１で生成された画像データを粒状性付与画像合成手段１８２に供給させて双方の画像合成を粒状性付与画像合成手段１８２に行なわせてこのフローの処理を終了する。
【００６０】
このようにしておくと、このメモリカードに記録した画像データに基づく画像をプリンタにより写真プリントしたときに従来の銀塩カメラで撮影したのとほぼ同じ様な粒状感を持つ写真が得られる。
【００６１】
以上説明したように銀塩カメラで撮影したのと同じ様な写真が得られる、記録メディアに画像データを記録する撮影装置が実現される。
【００６２】
図７は、図６の変形例を説明する図である。
【００６３】
図７にはノイズコントローラにより＋２以上が設定されたときに増感材を用いて感度を上げる処理を行なった場合に観察される、粒状性データに基づく粒状性を画像データに重畳するようにした場合の例である。
【００６４】
図７に示すステップＳ６０７１でノイズコントロールダイヤルが＋２に設定されていた場合には、図６のステップＳ６０７に示すＩＳＯ感度１６００相当の銀塩フィルムの２次元粒状性データを画像データに重畳する代わりに、ＩＳＯ感度４００相当の銀塩フィルムを４倍の増感現像を行ったときに得られる粒状を表わす粒状性データを画像データに重畳するように変更している。
【００６５】
このようにしておくと、いままで増感材を用いて感度を上げた写真の出来栄えと同様の粒状感を持つ画像が得られる。
【００６６】
図８は、ノイズコントロールダイヤル１９４の各設定位置（−２  −１  ０  １  ＋２）に割り当てることが可能な機能を説明する図である。
【００６７】
図８に示す左側の設定例その１が図６で説明した各機能をノイズコントロールダイヤルの各設定位置（＋２でＩＳＯ１６００相当銀塩フィルムの粒状性を付与等）に割り当てた場合の例であり、設定例その２が図７で説明した各機能割当をノイズコントロールダイヤルの各設定位置（＋２で４倍増感現像条件の粒状性を付与等）に割り当てた場合の例である。
【００６８】
そのほか、設定例その３からその５までの設定などを行なっておいても良い。設定例その３はＩＳＯ感度５０、１００、４００、８００、１６００を−２〜＋２までの各設定位置に割り当てた場合の例であり、設定例その４は現像液の条件を各設定位置に割り当てた場合の例であり、設定例その５はフィルム種を各設定位置に割り当てた場合の例である。
【００６９】
このように現像液、フィルム種、増感現像、ＩＳＯ感度等に応じた粒状性データをデータベース化しておくと、様々な粒状性データを画像データに重畳することができるようになって、銀塩カメラで撮影していたときに、異なる種類のフィルムや異なる現像方法により得た写真上の微妙な視覚効果の違いが画像上に忠実に再現されるようになる。
【００７０】
以上説明したように銀塩カメラで撮影したのと同じ様な写真が得られる記録メディアに画像データを記録する撮影装置が実現される。
【図面の簡単な説明】
【００７１】
【図１】本発明の一実施形態であるデジタルカメラの外観を示す図である。
【図２】撮影条件設定画面を説明する図である。
【図３】撮影条件，ノイズコントロールの設定内容を説明する図である。
【図４】図１のデジタルカメラ１内部の構成を示す構成ブロック図である。
【図５】ＣＰＵが行なう撮影条件の設定処理を説明するためのフローチャートである。
【図６】ＣＰＵが行なう粒状付与処理を説明するためのフローチャートである。
【図７】図５の変形例を説明する図である。
【図８】ノイズコントロールダイヤルの各設定位置（−２，−１，０，１，２）に割り当てることが可能な機能を説明する図である。
【符号の説明】
【００７２】
１    デジタルカメラ
１０    電源スイッチ
１１    レリーズスイッチ
１２    モードスイッチ
１３    ズームスイッチ
１４    マルチファンクションスイッチ
１４ａ    セットキー（ＳＥＴキー）
１５    メニュースイッチ
１６    フラッシュスイッチ
１７    ＤＩＳＰスイッチ
１７１      ファインダ
１８    ゴミ箱スイッチ
１８ａ    Ｓｈｉｆｔキー
１９    マクロスイッチ
１００    ＣＰＵ
１００ａ      メインメモリ（ＥＥＰＲＯＭ）
１０１    レンズ鏡胴
１０１ａ    ズーム光学系
１０２    ＣＣＤ
１０３    ＣＤＳアナログデコーダ
１０４    ホワイトバランスアンプ
１０５    γ補正部
１０６    点順次化部
１０７    Ａ／Ｄコンバータ
１０８    メモリコントローラ
１０９    ＥＶＲ
１１０    バス
１１１    ＹＣ信号作成部
１１２    ＬＣＤドライバ
１１３    圧縮伸張部
１１４    外部インターフェイス
１１５    記録メディア
１８０    粒状性データ生成手段
１８１    粒状性データベース
１８２    粒状性付与画像合成手段
１９０    撮影条件設定ダイヤル
１９１    アップキー
１９２    ダウンキー
１９３    ロックキー
１９４    ノイズコントロールダイヤル
１９５    ロックキー
【図１】
2007019617.tif 000003
【図２】
2007019617.tif 000004
【図３】
2007019617.tif 000005
【図４】
2007019617.tif 000006
【図５】
2007019617.tif 000007
【図６】
2007019617.tif 000008
【図７】
2007019617.tif 000009
【図８】
2007019617.tif 000010